(57)【要約】      （修正有）【課題】インターホンの取付けによってＡＬＣ製外壁の外観形状が損なわれず、パネルの強度および耐火性の低下を抑制できるＡＬＣパネルを提供する。【解決手段】複数のＡＬＣパネルＰ１を並列に配置して外壁１を形成し、外壁１の一部に玄関５を設け、その玄関５の袖に薄肉のＡＬＣパネルＰ２を設け、そのＡＬＣパネルＰ２の外表面に角筒状のモール部材２０を取付ける。そのモール部材２０のフロントプレートの表面をＡＬＣパネルＰ１の外表面と略同一面上に配置して、外壁１の外表面に段差のない状態とする。フロントプレートに開口を形成し、インターホンパネル１０に支持されたインターホン１１の端子ボックスをその開口に挿入して、インターホンパネル１０をフロントプレートに取付ける。【選択図】図２
2010101012.tif 000002
【特許請求の範囲】
【請求項１】
並列に配置された複数の耐火性パネルからなる外壁と、その外壁の一部に設けられたドア枠を有し、そのドア枠の内側の出入口をドアにより開閉する玄関とからなり、前記玄関袖に位置する耐火性パネルの外表面に埋め込みタイプのインターホンを取付けたインターホン取付装置において、
前記玄関袖に位置する耐火性パネルの厚みを、それに隣接する耐火性パネルより薄肉とし、その玄関袖の耐火性パネルを、外表面が隣接する耐火性パネルの外表面との間で段差が形成されるよう奥側に入り込ませて取付け、前記玄関袖の耐火性パネルの外表面に、その外表面の略全体を覆う大きさの扁平な角筒状のモール部材を両端開口が上下に位置するよう取付け、そのモール部材のフロントプレートに前記インターホンの端子ボックスが挿入可能な開口を形成し、その開口に端子ボックスを挿入して、フロントプレートにインターホンを取付けたことを特徴とするインターホン取付装置。
【請求項２】
前記インターホンをインターホンパネルの背面に取付け、そのインターホンパネルを前記フロントプレートに取付けた請求項１に記載のインターホン取付装置。
【請求項３】
前記モール部材が、耐火性パネルの外表面にねじ止めされるベースプレートを有し、そのベースプレートの両側に設けられた対向一対の側面プレートの前縁に内向きのフランジを設けた支持枠と、その支持枠の一対のフランジに両側部がねじ止めされたフロントプレートとからなる請求項１又は２に記載のインターホン取付装置。
【請求項４】
前記モール部材が、耐火性パネルの外表面両側部にねじ止めされる断面がコの字形の一対の側枠と、その一対の側枠に両側部がねじ止めされるフロントプレートとからなる請求項１又は２に記載のインターホン取付装置。
【発明の詳細な説明】
【技術分野】
【０００１】
この発明は、玄関ドアの袖に設けられるインターホンの取付装置に関する。
【背景技術】
【０００２】
近年、建物の外壁にＡＬＣパネル等の耐火性パネルが多く用いられている。
【０００３】
図５（ｃ）、（ｄ）は、ＡＬＣパネルを用いた建物の壁面構造の一例を示している。この壁面構造においては、複数のＡＬＣパネルＰ１を並列に配置し、隣接するＡＬＣパネルＰ１間の隙間に目地材２を介在して外壁１を形成し、その外壁１の内面側に発泡ウレタンを吹き付けて断熱層３を設け、その断熱層３の内面に点在的に設けられるダンゴ状の接着剤Ｂを介して内装材４を貼り付けるようにしている。
【０００４】
また、外壁１の一部に玄関５を設けている。この玄関５は、隣接するＡＬＣパネルＰ１間に配置されるドア枠６を有し、そのドア枠６の内側の出入口７をドア８で開閉するようにしている。
【０００５】
ここで、ＡＬＣパネルＰ１には、厚みが、１００ｍｍ、１２５ｍｍ、１５０ｍｍの３種類が存在する。また、左右両側面間の幅寸法が、３００ｍｍ、６００ｍｍの２種類が存在し、厚みが異なる数種のＡＬＣパネルＰ１を用いて外壁１を形成すると、その外壁１の外表面に凹凸が形成され、建物の外観形状が損なわれるため、普通、同一種類のＡＬＣパネルＰ１を用いて外壁１を形成することが行なわれている。
【０００６】
上記の構成からなる壁面構造においては、玄関５の袖に位置するＡＬＣパネルＰ１の外表面にインターホンパネル１０を取付け、そのインターホンパネル１０の背面に支持されたインターホン１１を介して屋内外での通話が行なえるようにしている。
【０００７】
ここで、インターホンには、埋め込みタイプのものと面付けタイプの２種類が存在する。埋め込みタイプのインターホン１１の取付けに際し、従来では、図５（ｃ）に示すように、玄関５の袖に位置するＡＬＣパネルＰ１の外表面にインターホン１１を支持するインターホンパネル１０を重ね合わせてねじ止めし、あるいは、図５（ｄ）に示すように、ＡＬＣパネルＰ１の外表面に凹部９を形成し、その凹部９にインターホン１１の端子ボックス１２を嵌め込み、インターホンパネル１０がＡＬＣパネルＰ１の外表面に重なりあう状態で、そのインターホンパネル１０をＡＬＣパネルＰ１にねじ止めしている。
【発明の開示】
【発明が解決しようとする課題】
【０００８】
ところで、図５（ｃ）に示すインターホン取付装置においては、インターホンパネル１０がＡＬＣパネルＰ１の外表面から外方に大きく突出するため、外壁１の外観形状を損ね、通行の際に障害物となって怪我をする危険があった。
【０００９】
また、図５（ｃ）および図５（ｄ）に示すいずれのインターホン取付装置においてもインターホン１１の端子ボックス１２に接続された電線１３を屋内に引き込むために、ＡＬＣパネルＰ１に電線挿通孔１４を形成する必要があり、ＡＬＣパネルＰ１の耐火性を低下させるという問題があった。
【００１０】
さらに、図５（ｄ）に示すインターホン取付装置においては、ＡＬＣパネルＰ１に形成された凹部９に端子ボックス１２をはめ込むようにしているため、インターホンパネル１０の外部への突出量が図５（ｃ）のインターホン取付装置に比較して小さく、外壁１の外観形状を大きく損ねるということはないが、凹部９の形成によってＡＬＣパネルＰ１の強度を著しく低下させるという問題があった。
【００１１】
この発明の課題は、埋め込みタイプのインターホンの取付けによってＡＬＣパネル等の耐火性パネルで形成される外壁の外観形状が損なわれないようにすること、および、耐火性パネルの耐火性および強度が低下されないようにすることである。
【課題を解決するための手段】
【００１２】
上記の課題を解決するために、この発明においては、並列に配置された複数の耐火性パネルからなる外壁と、その外壁の一部に設けられたドア枠を有し、そのドア枠の内側の出入口をドアにより開閉する玄関とからなり、前記玄関袖に位置する耐火性パネルの外表面に埋め込みタイプのインターホンを取付けたインターホン取付装置において、前記玄関袖に位置する耐火性パネルの厚みを、それに隣接する耐火性パネルより薄肉とし、その玄関袖の耐火性パネルを、外表面が隣接する耐火性パネルの外表面との間で段差が形成されるよう奥側に入り込ませて取付け、前記玄関袖の耐火性パネルの外表面に、その外表面の略全体を覆う大きさの扁平な角筒状のモール部材を両端開口が上下に位置するよう取付け、そのモール部材のフロントプレートに前記インターホンの端子ボックスが挿入可能な開口を形成し、その開口に端子ボックスを挿入して、フロントプレートにインターホンを取付けた構成を採用したのである。
【００１３】
上記の構成からなるインターホン取付装置において、インターホンの取付けに際しては、床面に沿って屋内から屋外に引き出された電線をモール部材の下端開口から内部に配線して、フロントプレートに形成された開口から外部に取り出し、その電線をインターホンの端子ボックスに接続した後、その端子ボックスを上記開口に挿入して、インターホンをフロントプレートにねじ止め等の手段で固定する。
【００１４】
このように、インターホンの端子ボックスに接続される電線をモール部材の内部空間内に配線することができるため、耐火性パネルに電線を挿通するための電線挿通孔を形成する必要がなくなり、耐火性パネルの耐火性や強度を低下させることがない。
【００１５】
ここで、埋め込みタイプのインターホンは、その正面パネルをモール部材のフロントプレートに直接ねじ止めしてもよく、あるいは、インターホンの正面パネルをインターホンパネルの背面に取付け、そのインターホンパネルをモール部材のフロントプレートにねじ止めして、インターホンをフロントプレートに間接的に取付けてもよい。
【００１６】
この発明に係るインターホンの取付装置において、モール部材として、耐火性パネルの外表面にねじ止めされるベースプレートを有し、そのベースプレートの両側に設けられた対向一対の側面プレートの前縁に内向きのフランジを設けた支持枠と、その支持枠の一対のフランジに両側部がねじ止めされたフロントプレートとからなるものを採用すると、フロントプレートを取り外した状態においてモール部材の内部に電線を配線することができるため、配線作業の容易化を図ることができる。
【００１７】
また、モール部材として、耐火性パネルの外表面両側部にねじ止めされる断面がコの字形の一対の側枠と、その側枠に両側部がねじ止めされるフロントプレートとからなるものを採用することにより、上記と同様に、配線作業を能率よく行なうことができる。
【発明の効果】
【００１８】
上記のように、この発明においては、玄関袖に位置する耐火性パネルの厚みを、それに隣接する耐火性パネルより薄肉とし、その玄関袖の耐火性パネルを、外表面が隣接する耐火性パネルの外表面との間で段差が形成されるよう奥側に入り込ませて取付けて外表面に角筒状のモール部材を取付け、そのモール部材のフロントプレートに開口を設け、その開口にインターホンの端子ボックスを挿入して、フロントプレートにインターホンを取り付けるようにしたので、インターホンはその正面パネルがフロントプレートの表面から露出する取付けとなって外壁の外表面から大きく突出することがない取付けとなり、外壁の外観形状を損ねることがない。
【００１９】
また、インターホンの端子ボックスに接続される電線をモール部材の内部空間内に配線することができるため、耐火性パネルに電線を挿通するための電線挿通孔を形成する必要がなくなり、耐火性パネルの耐火性や強度を低下させることがない。
【発明を実施するための最良の形態】
【００２０】
以下、この発明の実施の形態を図１乃至図４に基づいて説明する。図１および図２は、建物の壁面構造を示し、その壁面構造と前述の図５（ｃ）、（ｄ）に示す壁面構造とは、玄関５の袖に位置する耐火性パネルとしてのＡＬＣパネルＰ１に薄肉のＡＬＣパネルＰ２を用いている点で相違している。このため、図５（ｃ）、（ｄ）に示す部分と同一の部分には同一の符号を付して説明を省略する。
【００２１】
図１に示すように、ＡＬＣパネルＰ１、Ｐ２のそれぞれは天井面および床面に固定された断面Ｌ形の上部桟１５および下部桟１６に上下両端部が支持され、図示省略した固定金具により各桟１５、１６に固定されている。
【００２２】
図２に示すように、玄関５の袖に位置するＡＬＣパネルＰ２は、先に述べたように、他の残りのＡＬＣパネルＰ１より薄肉のＡＬＣパネルが採用されている。その玄関袖のＡＬＣパネルＰ２は、その背面が他のＡＬＣパネルＰ１の背面と同一面を形成する取付けであり、外表面が隣接するＡＬＣパネルＰ１の外表面より奥側に位置している。
【００２３】
玄関袖のＡＬＣパネルＰ２の外表面には扁平な角筒状のモール部材２０が両端の開口を上下として取付けられている。図３（ａ）に示すように、モール部材２０は、支持枠２１と、フロントプレート２２とからなっている。
【００２４】
支持枠２１は、ＡＬＣパネルＰ２の外表面にねじ止めされて、その外表面の略全体を覆う大きさのベースプレート２１ａを有し、そのベースプレート２１ａの両側に設けられた対向一対の側面プレート２１ｂの前縁に内向きのフランジ２１ｃを設けた構成とされ、上記フランジ２１ｃにフロントプレート２２の両側部が衝合され、ねじの締付けにより着脱自在に取付けられている。
【００２５】
ここで、支持枠２０の前面と後面間の厚み寸法は玄関袖のＡＬＣパネルＰ２の外表面とそれに隣接するＡＬＣパネルＰ１の外表面間に形成される段差に略等しくなっており、玄関袖のＡＬＣパネルＰ２の外表面への取付け状態で、フロントプレート２２の表面が隣接するＡＬＣパネルＰ１の外表面と略同一面を形成するようになっている。
【００２６】
支持枠２０のフロントプレート２２には開口２３が形成され、その開口２３に対してインターホン１１の端子ボックス１２が挿入可能とされている。ここで、インターホン１１は、正面パネル１１ａの背面に端子ボックス１２を設けた構成とされ、正面パネル１１ａの外周は端子ボックス１２の外周より外方に位置している。
【００２７】
インターホン１１を支持するインターホンパネル１０は、角形の周枠１０ａを外周に有し、その周枠１０ａの開口端から内向きに形成された取付片１０ｂが支持枠２０のフロントプレート２２にねじ止めされている。
【００２８】
実施の形態で示すインターホン取付装置は上記の構造からなり、インターホン１１の取付けに際しては、床面に沿って屋内から屋外に引き出された電線１３をモール部材２０の下端開口から内部に配線して、開口２３から外部に取り出すようにする。その配線に際して、フロントプレート２２を支持枠２０から取り外しておくことにより、配線作業を容易に行なうことができる。
【００２９】
モール部材２０の内部空間に対する配線作業の終了後、その電線１３をインターホン１１の端子ボックス１２に接続して、その端子ボックス１２を上記開口２３に挿入し、インターホン１１を支持するインターホンパネル１０をフロントプレート２２に衝合し、そのインターホンパネル１０をフロントプレート２２にねじ止めする。
【００３０】
ここで、フロントプレート２２に対するインターホン１０のねじ止めは、フロントプレート２２の取外し状態で行なってもよく、取付け状態で行うようにしてもよい。
【００３１】
上記のようなインターホン１１の取付け状態では、ＡＬＣパネルＰ１の外表面と略同一面をなすフロントプレート２２の外表面、すなわち、外壁１の外表面からインターホンパネル１０が少し突出する状態であるため、外壁１の外観形状を損ねることが少ない。
【００３２】
また、インターホン１１の端子ボックス１２に接続される電線１３をモール部材２０の内部空間内に配線することができるため、ＡＬＣパネルＰ２に電線１３を挿通するための電線挿通孔を形成する必要がなくなる。このため、ＡＬＣパネルＰ２の耐火性や強度を低下させることがなく、また、インターホン１１の取付け作業を能率よく行なうことができる。
【００３３】
図３（ａ）では、モール部材２０として、支持枠２１とフロントプレート２２とからなるものを示したが、モール部材２０はこれに限定されるものではない。例えば、図３（ｂ）に示すように、ＡＬＣパネルＰ２の外表面両側部にねじ止めされる断面がコの字形の一対の側枠２４と、その側枠２４に両側部がねじ止めされるフロントプレート２２とからなるものを採用してもよい。
【００３４】
上記のようなモール部材２０の採用においても、上記と同様に、インターホン１１の取付け作業を能率よく行なうことができる。
【００３５】
また、実施の形態では、インターホンパネル１０でインターホン１１を支持し、そのインターホンパネル１０をモール部材２０のフロントプレート２２にねじ止めするようにしたが、インターホン１１の正面パネル１１ａに段付きのねじ挿入孔を形成し、そのねじ挿入孔に挿入されるねじの締付けにより、正面パネル１１ａをフロントプレート２２に直接取付けるようにして、インターホンパネル１０を省略してもよい。
【図面の簡単な説明】
【００３６】
【図１】この発明に係るインターホン取付装置の実施の形態を示す斜視図
【図２】図１のII−II線に沿った断面図
【図３】（ａ）は、図２の一部分を示す断面図、（ｂ）は、モール部材の他の例を示す断面図
【図４】図３（ａ）の分解斜視図
【図５】（ｃ）は、従来のインターホン取付装置の断面図、（ｄ）は、従来のインターホン取付装置の他の例を示す断面図
【符号の説明】
【００３７】
Ｐ１    ＡＬＣパネル（耐火性パネル）
Ｐ２    ＡＬＣパネル（耐火性パネル）
５      玄関
６      ドア枠
７      出入口
８      ドア
１０    インターホンパネル
１１    インターホン
１２    端子ボックス
１３    電線
２０    モール部材
２１    支持枠
２１ａ  ベースプレート
２１ｂ  側面プレート
２１ｃ  フランジ
２２    フロントプレート
２３    開口
２４    側枠
【図１】
2010101012.tif 000003
【図２】
2010101012.tif 000004
【図３】
2010101012.tif 000005
【図４】
2010101012.tif 000006
【図５】
2010101012.tif 000007